(57)【特許請求の範囲】
【請求項１】
複数の糸挟み切り構成を有し、丸編機上に設置し、丸編機の動きを受けて連動する丸編機にある給糸切換装置であって、
前記糸挟み切り構成は、隣接し且つ同時に連動される二つの糸挟み切り連動片を有し、そのうち、これ等糸挟み切り連動片のうちの一つの一方は給糸片を有し、且つ前記糸挟み切り連動片と前記給糸片との間に前記糸挟み切り連動片に接触する糸挟持片を有し、前記糸挟み切り連動片の端縁は、前記糸挟持片の変位に相対して挟持を実施するための引導区間を形成する第一フック部を有し、もう一つの前記糸挟み切り連動片は、前記糸挟持片に相対するもう一方に前記糸挟み切り連動片に接触する糸切片を有し、前記糸挟み切り連動片の端縁は、前記糸切片の変位に相対して挟持を実施し且つ前記引導区間の位置と落差を形成するための間隔区間を形成する第二フック部を有することを特徴とする丸編機にある給糸切換装置の糸挟み切り構成。
【請求項２】
前記引導区間は、前記糸挟持片に近接する箇所に第一ガイド面を有することを特徴とする請求項１に記載の丸編機にある給糸切換装置の糸挟み切り構成。
【請求項３】
前記引導区間は、前記間隔区間に近接する箇所に第二ガイド面を有することを特徴とする請求項２に記載の丸編機にある給糸切換装置の糸挟み切り構成。
【請求項４】
前記糸挟み切り構成同士の間には、隔離片をさらに有することを特徴とする請求項１乃至３のいずれかに記載の丸編機にある給糸切換装置の糸挟み切り構成。
【請求項５】
複数の糸挟み切り構成を有し、丸編機上に設置し、丸編機の動きを受けて連動する丸編機にある給糸切換装置であって、
前記糸挟み切り構成は、一方に給糸片を有する糸挟み切り連動片を有し、且つ前記糸挟み切り連動片と前記給糸片との間に前記糸挟み切り連動片に接触する糸挟持片を有し、前記糸挟み切り連動片のもう一方には前記糸挟み切り連動片に接触する糸切片を有し、また、前記糸挟み切り連動片の端縁は、前記糸挟持片の変位に相対して挟持を実施するための引導区間と、前記糸切片の変位に相対して挟持を実施し且つ前記引導区間の位置と落差を形成するための間隔区間とを有するフック部を有することを特徴とする丸編機にある給糸切換装置の糸挟み切り構成。
【請求項６】
前記引導区間は、前記糸挟持片に近接する箇所に第一ガイド面を有することを特徴とする請求項５に記載の丸編機にある給糸切換装置の糸挟み切り構成。
【請求項７】
前記引導区間は、前記間隔区間に近接する箇所に第二ガイド面を有することを特徴とする請求項６に記載の丸編機にある給糸切換装置の糸挟み切り構成。
【請求項８】
前記糸挟み切り構成同士の間には、隔離片をさらに有することを特徴とする請求項５乃至７のいずれかに記載の丸編機にある給糸切換装置の糸挟み切り構成。
【発明の詳細な説明】
【技術分野】
【０００１】
本発明は、編機の給糸切換装置（Ｓｔｒｉｐｉｎｇ  Ａｐｐａｒａｔｕｓ）、特に丸編機（Ｃｉｒｃｕｌａｒ  Ｋｎｉｔｔｉｎｇ  Ｍａｃｈｉｎｅ）に使用する給糸切換装置に関するものである。
【背景技術】
【０００２】
給糸切換装置を丸編機に使用することは、周知技術であるが、丸編機の効果及び構成の違いから、給糸切換装置は設置上の変化があり、通常、縦式及び横式に分けることができ、例えば、特許文献１である「ＳＴＲＩＰＩＮＧ  ＡＰＰＡＲＡＴＵＳ  ＦＯＲ  ＣＩＲＣＵＬＡＲ  ＫＮＩＴＴＩＮＧ  ＭＡＣＨＩＮＥＳ」と、特許文献２である「ＳＴＲＩＰＩＮＧ  ＳＹＳＴＥＭ  ＦＯＲ  ＣＩＲＣＵＬＡＲ  ＫＮＩＴＴＩＮＧ  ＭＡＣＨＩＮＥ」とは、異なる色糸を編機の編針に給糸するために用いる縦式給糸切換装置がそれぞれ開示されている。また、特許文献３である「ＣＩＲＣＵＬＡＲ  ＫＮＩＴＴＩＮＧ  ＭＡＣＨＩＮＥ  ＳＴＲＩＰＥＲ  ＣＯＮＴＲＯＬ  ＳＹＳＴＥＭ」と、特許文献４である「ＳＴＲＩＰＩＮＧ  ＡＰＰＡＲＡＴＵＳ  ＯＦ  Ａ  ＣＩＲＣＵＬＡＲ  ＫＮＩＴＴＩＮＧ  ＭＡＣＨＩＮＥ」は、編機に用いる横式給糸切換装置及びその制御器がそれぞれ開示されている。
【０００３】
しかし、縦式或いは横式の給糸切換装置のいずれかであったとしても、上述したような周知技術における給糸切換装置にある糸挟み切り構成は以下のような問題が存在している。
第一に、周知技術において、糸切連動片のフック部と糸挟持片の角とが、糸を挟持する際に、色糸を引き千切ってしまうという状況が発生し易く、且つ前記色糸のもう一方は、糸切片によって糸切が行われた後、一部分が糸屑を形成し、この糸屑は、その後、フック部によってリリースされると、編針の動きに伴い、編地中に編み込まれ、編地の品質に影響を及ぼしている。
第二に、周知技術に係る糸挟持に関する構成において、色糸を余分に取っておくというものがないため、糸を挟持する際に、色糸が引き千切られた場合、給糸切換装置は、高速稼働中の糸挟持過程において、糸挟持が不適格になって糸が抜け落ちるという状況が発生してしまう。
【先行技術文献】
【特許文献】
【０００４】
【特許文献１】米国特許第ＵＳ６６５５１７６号公報
【特許文献２】米国特許第ＵＳ５０７０７０９号公報
【特許文献３】米国特許第ＵＳ５２１８８４５号公報
【特許文献４】米国特許第ＵＳ７０３６３４３号公報
【発明の概要】
【発明が解決しようとする課題】
【０００５】
本発明の主要な目的は、色糸が安定的に挟持され、且つ色糸の一方にのみ断糸するように確保することで、糸の抜け落ちや糸屑の発生を防ぎ、製品の欠陥発生率を低減し、各編針の編織動作の安定性を向上させ、上述した周知技術にあるすべての不具合及び課題を解決することにある。
【０００６】
また、本発明のもう一つの目的は、給糸切換装置にある糸挟み切り構成の従来の厚さを維持することで、給糸切換装置を丸編機に設置する際、給糸口が多い丸編機と組み合わせ可能にすることにある。
【課題を解決するための手段】
【０００７】
本発明の目的を達成するため、本発明は、複数の糸挟み切り構成を有し、丸編機上に設置し、丸編機の動きを受けて連動する丸編機にある給糸切換装置であって、前記糸挟み切り構成は、隣接し且つ同時に連動される二つの糸挟み切り連動片を有し、そのうち、これ等糸挟み切り連動片のうちの一つの一方は給糸片を有し、且つ前記糸挟み切り連動片と前記給糸片との間に前記糸挟み切り連動片に接触する糸挟持片を有し、前記糸挟み切り連動片の端縁は、前記糸挟持片の変位に相対して挟持を実施するための引導区間を形成する第一フック部を有し、もう一つの前記糸挟み切り連動片は、前記糸挟持片に相対するもう一方に前記糸挟み切り連動片に接触する糸切片を有し、前記糸挟み切り連動片の端縁は、前記糸切片の変位に相対して挟持を実施し且つ前記引導区間の位置と落差を形成するための間隔区間を形成する第二フック部を有する丸編機にある給糸切換装置の糸挟み切り構成を提供している。
【０００８】
また、上述した方法の実施例において、前記引導区間は、前記糸挟持片に近接する箇所に第一ガイド面を有している。
【０００９】
また、上述した方法の実施例において、前記引導区間は、前記間隔区間に近接する箇所に第二ガイド面を有している。
【００１０】
また、上述した方法の実施例において、前記糸挟み切り構成同士の間には、隔離片をさらに有している。
【００１１】
さらに、本発明の目的を達成するため、本発明は、複数の糸挟み切り構成を有し、丸編機上に設置し、丸編機の動きを受けて連動する丸編機にある給糸切換装置であって、前記糸挟み切り構成は、一方に給糸片を有する糸挟み切り連動片を有し、且つ前記糸挟み切り連動片と前記給糸片との間に前記糸挟み切り連動片に接触する糸挟持片を有し、前記糸挟み切り連動片のもう一方には前記糸挟み切り連動片に接触する糸切片を有し、また、前記糸挟み切り連動片の端縁は、前記糸挟持片の変位に相対して挟持を実施するための引導区間と、前記糸切片の変位に相対して挟持を実施し且つ前記引導区間の位置と落差を形成するための間隔区間とを有するフック部を有する丸編機にある給糸切換装置の糸挟み切り構成を提供している。
【００１２】
また、上述した方法の実施例において、前記引導区間は、前記糸挟持片に近接する箇所に第一ガイド面を有している。
【００１３】
また、上述した方法の実施例において、前記引導区間は、前記間隔区間に近接する箇所に第二ガイド面を有している。
【００１４】
また、上述した方法の実施例において、前記糸挟み切り構成同士の間には、隔離片をさらに有している。
【発明の効果】
【００１５】
上述したことから、本発明は、以下のように、周知技術より有益な効果を達成することができる。
第一に、給糸切換装置は、丸編機の高速稼働下において、前記色糸を引き千切る恐れがあるものの、本発明に係る前記糸挟み切り連動片が挟み切りを行う工程で糸挟持確保区間を形成するため、前記色糸が前記糸挟持片から離脱して糸の抜け落ちが発生するという状況を有効的に防ぐことができる。
第二に、本発明に係る前記フック部の前記引導区間と前記糸挟持片との間には角をそぎ取ったような前記第一ガイド面を有しているため、前記色糸が挟持によって引き千切られることを有効的に防ぎ、且つ前記色糸が挟持されるのを待った後、さらに前記フック部のもう一方と前記糸切片とによって糸切を継続的に行い、片方のみの断糸が実現する効果を確保することができ、これによって糸屑の形成を有効的に防ぎ、編地の品質を改善している。
【図面の簡単な説明】
【００１６】
【図１】本発明に係る好ましい第一実施例の組立を示す斜視図である。
【図２】本発明に係る図１の分解図である。
【図３】本発明に係る図１にある糸挟み切り連動片を示す局部拡大図である。
【図４】本発明に係る図３の平面拡大図である。
【図５】本発明に係る図１にある糸挟み切り構成の連続的な動きを断面で示す局部拡大図である。
【図６】本発明に係る図１にある糸挟み切り構成の連続的な動きを断面で示す局部拡大図である。
【図７】本発明に係る図１にある糸挟み切り構成の連続的な動きを断面で示す局部拡大図である。
【図８】本発明に係る図１にある糸挟み切り構成の連続的な動きを断面で示す局部拡大図である。
【図９】本発明に係る図１にある糸挟み切り構成の連続的な動きを断面で示す局部拡大図である。
【図１０】本発明に係る図１にある糸挟み切り構成の連続的な動きを断面で示す局部拡大図である。
【図１１】本発明に係る図１にある糸挟み切り連動片のもう一つの実施態様を示す局部拡大図である。
【図１２】本発明に係る図１１のＡ−Ａ線断面図である。
【図１３】本発明に係る好ましい第二実施例の組立を示す斜視図である。
【図１４】本発明に係る図１３の分解図である。
【図１５】本発明に係る図１３にある糸挟み切り連動片を示す局部拡大図である。
【図１６】本発明に係る図１５のＢ−Ｂ線断面図である。
【発明を実施するための形態】
【００１７】
本発明の好ましい実施例及び詳細な技術内容は、図面を参照しつつ説明する。まず、本発明に係る好ましい第一実施例の組立を示す斜視図、分解図、糸挟み切り連動片を示す局部拡大図と平面拡大図、及び糸挟み切り構成を断面で示す局部拡大図である図１乃至図５を参照されたい。図示されているとおり、本発明は、丸編機にある給糸切換装置の糸挟み切り構成を提供しており、縦式の設置を応用する前記給糸切換装置１は、丸編機上に設置（本発明が設置する位置は特許文献にある周知技術を参照）し、丸編機の動きを受けて連動し、前記給糸切換装置１の両側は、ハウジング板１０をそれぞれ有し、二つの前記ハウジング板１０の間には複数の糸挟み切構成２を有し、前記糸挟み切り構成２同士の間には、隔離片７をさらに設置（実施において省略することも可能）することができ、前記糸挟み切り構成２は、隣接し且つ同時に連動される二つの糸挟み切り連動片３ａ、３ｂを有し、そのうち、前記糸挟み切り連動片３ａの一方は給糸片６を有し、且つ前記糸挟み切り連動片３ａと前記給糸片６との間に前記糸挟み切り連動片３ａに接触する糸挟持片４を有し、前記糸挟み切り連動片３ａの端縁は、前記糸挟持片４の変位に相対して挟持を実施するための引導区間３１を形成する第一フック部３０ａを有し、前記引導区間３１は、前記糸挟持片４に近接する箇所に色糸８が挟持によって引き千切られることを有効的に防ぐことができる第一ガイド面３１１を有し、もう一つの前記糸挟み切り連動片３ｂは、前記糸挟持片４に相対するもう一方に前記糸挟み切り連動片３ｂに接触する糸切片５を有し、前記糸挟み切り連動片３ｂの端縁は、前記糸切片５の変位に相対して挟持を実施し且つ前記引導区間３１の位置と落差を形成するための間隔区間３２を形成する第二フック部３０ｂを有し、前記引導区間３１は、前記間隔区間３２に近接する箇所にも、同じように色糸８が挟持によって引き千切られることを有効的に防ぐことができる第二ガイド面３１２を設けている。
【００１８】
さらに、本発明に係る図１にある糸挟み切り構成の連続的な動きを断面で示す局部拡大図である図５乃至図１０を参照されたい。図示されているとおり、前記糸挟み切り連動片３ｂの前記第二フック部３０ｂが図５のように糸切を完了すると、前記糸挟み切り連動片３ａの前記第一フック部３０ａと前記糸挟持片４とは前記色糸８を強固に挟持し、且つ前記色糸８は、前記間隔区間３２において、前記色糸８が前記糸挟持片４から抜け落ちないようにするための糸挟持確保区間８１をさらに形成しており、前記給糸片６の動きで前記色糸８が再び用いられて引っ張られると、図６のように、前記第一フック部３０ａと前記糸挟持片４との間にある前記色糸８は、前記糸挟み切り連動片３ａ、３ｂが未だ同時に伸長していない時に糸が抜け落ちるという問題も発生せず、また、図７のように、前記糸挟み切り連動片３ａ、３ｂが同時に伸長し、前記色糸８が前記第一フック部３０ａと前記糸挟持片４との間から離脱し、図８のように、前記糸挟み切り連動片３ａ、３ｂが完全に伸長して再び引掛けの動きを行い、前記色糸８を引っ掛けた場合、前記糸挟み切り連動片３ａ、３ｂが同時に糸を引掛け、糸切を止めると、図９のように、前記引導区間３１にある前記色糸８は、まず前記糸挟持片４に接触し、前記第一フック部３０ａは前記糸挟持片４と糸の挟持をはじめ、前記糸挟み切り連動片３ａの第一フック部３０ａが糸の挟持を継続的に行うと、前記色糸８は前記糸挟持片４と前記第一フック部３０ａとの間において確実な糸の挟持を継続的に行われ、さらに前記色糸８は、図１０のように、前記糸挟み切り連動片３ｂの前記第二フック部３０ｂと前記糸切片５とに接触した後、前記色糸８が完全に切断して確実に前記糸挟持片４と前記第一フック部３０ａとに完全に挟持されるまで糸切を行っており、注目する点は、上述から分かるとおり、本発明に係る前記糸挟み切り連動片３ａ、３ｂが糸切を行っている過程において、前記間隔区間３２は、前記糸挟持確保区間８１を形成するため、前記給糸切換装置１が高速稼働下における前記色糸８が前記糸挟持片４から離脱して糸が抜け落ちるという状況を有効的に防ぎ、また、本発明に係る前記第一フック部３０ａの前記引導区間３１と前記糸挟持片４との間は、前記第一ガイド面３１１を有するため、角をそぎ取ったような前記第一ガイド面３１１により前記色糸８が糸の挟持で鋭角によって引き千切られることを有効的に防ぎ、且つ前記色糸８が挟持されるのを待った後、さらに前記第二フック部３０ｂのもう一方と前記糸切片５とによって糸切を継続的に行うことで、完全に糸を挟持する効果と片方のみの断糸が実現する効果とを確保することができ、これによって糸屑の形成を有効的に防ぎ、編地の品質を改善している。なお、本発明に係る給糸切換装置１は、糸挟み切り構成２の従来の厚さを維持することができるため、本発明に係る給糸切換装置１を丸編機に設置する際、給糸口が多い丸編機と組み合わせることが可能である。
【００１９】
また、本発明に係る図１にある糸挟み切り連動片のもう一つの実施態様を示す局部拡大図とそのＡ−Ａ線断面図である図１１及び図１２を参照されたい。図示されているとおり、前記糸挟み切り連動片３を図１乃至図１０で図示される前記糸挟み切り連動片３ａ、３ｂと比較すると、前記糸挟み切り連動片３は、単片体のみ、即ち一体成形によって構成されており、前記糸挟み切り連動片３の前記フック部３０が糸切を行う際、同時進行するため、このような態様であっても確実に本発明を実施するができる。このため、本発明は、もう一つの丸編機にある給糸切換装置の糸挟み切り構成を提供しており、前記給糸切換装置１は、丸編機上に設置し、丸編機の動きを受けて連動し、前記給糸切換装置１の両側は、ハウジング板１０をそれぞれ有し、二つの前記ハウジング板１０の間には複数の糸挟み切構成２を有し、前記糸挟み切り構成２同士の間には、隔離片７をさらに設置することができ、そのうち、前記糸挟み切り構成２は、糸挟み切り連動片３を有し、前記糸挟み切り連動片３の一方は給糸片６を有し、且つ前記糸挟み切り連動片３と前記給糸片６との間に前記糸挟み切り連動片３に接触する糸挟持片４を有し、前記糸挟み切り連動片３のもう一方には前記糸挟み切り連動片３に接触する糸切片５を有し、また、前記糸挟み切り連動片３の端縁は、前記糸挟持片４の変位に相対して挟持を実施するための引導区間３１と、前記糸切片５の変位に相対して挟持を実施し且つ前記引導区間３１の位置と落差を形成するための間隔区間３２とを有するフック部３０を有し、そのうち、前記引導区間３１が前記糸挟持片４に近接する箇所に第一ガイド面３１１を有し、前記引導区間３１が前記間隔区間３２に近接する箇所に第二ガイド面３１２を設けている。
【００２０】
最後に、本発明に係る好ましい第二実施例の組立を示す斜視図、分解図及び糸挟み切り連動片を示す局部拡大図とそのＢ−Ｂ線断面図とである図１３乃至図１６を参照されたい。図示されているとおり、本発明に係る好ましい第二実施例を本発明に係る好ましい第一実施例を比較すると、好ましい第二実施例の前記給糸切換装置１は横式の設置を応用するものであって、これ以外に、好ましい第二実施例の図面には、好ましい第一実施例にある前記隔離片７がないものの、好ましい第二実施例では新たに部材を追加してこれを実施ている。注目する点は、図１５及び図１６に図示されているとおり、前記給糸切換装置１の前記糸挟み切り連動片３ａ、３ｂの構成が、好ましい第一実施例の特徴及びその挟み切りの動作全く同一で、これに基づいて実施することが可能ということにある。
【００２１】
なお、上述した内容は、本発明の好ましい実施例に過ぎず、本発明を限定するものではなく、本発明に係る請求範囲に基づいて行った変更及び修正は、いずれも本発明の請求範囲に属するものである。
【符号の説明】
【００２２】
１          給糸切換装置
１０        ハウジング板
２          糸挟み切り構成
３          糸挟み切り連動片
３ａ        糸挟み切り連動片
３ｂ        糸挟み切り連動片
３０        フック部
３０ａ      第一フック部
３０ｂ      第二フック部
３１        引導区間
３１１      第一ガイド面
３１２      第二ガイド面
３２        間隔区間
４          糸挟持片
５          糸切片
６          給糸片
７          隔離片
８          色糸
８１        糸挟持確保区間
【要約】      （修正有）【課題】色糸が安定的に挟持され且つ色糸の一方にのみ断糸するように確保することで糸の抜け落ちや糸屑の発生を防ぎ製品の欠陥発生率を低減し各編針の編織の動きを向上させ周知技術にある不具合及び課題を解決する。【解決手段】複数の糸挟み切り構成を有する丸編機にある給糸切換装置であって、糸挟み切り構成は隣接し且つ同時に連動される二つの糸挟み切り連動片３ａ、３ｂを有しこれ等糸挟み切り連動片のうちの一つの一方は給糸片６を有し且つ糸挟み切り連動片と給糸片との間に糸挟持片４を有し糸挟み切り連動片の端縁は引導区間３１を形成する第一フック部３０ａを有しもう一つの糸挟み切り連動片は糸挟持片に相対するもう一方に糸切片５を有し糸挟み切り連動片の端縁は引導区間の位置と落差を形成するための間隔区間３２を形成する第二フック部３０ｂを有する。【選択図】図５【図１】
0005985008.tif 000002
【図２】
0005985008.tif 000003
【図３】
0005985008.tif 000004
【図４】
0005985008.tif 000005
【図５】
0005985008.tif 000006
【図６】
0005985008.tif 000007
【図７】
0005985008.tif 000008
【図８】
0005985008.tif 000009
【図９】
0005985008.tif 000010
【図１０】
0005985008.tif 000011
【図１１】
0005985008.tif 000012
【図１２】
0005985008.tif 000013
【図１３】
0005985008.tif 000014
【図１４】
0005985008.tif 000015
【図１５】
0005985008.tif 000016
【図１６】
0005985008.tif 000017